(57)【特許請求の範囲】
【請求項１】
イグニッションキーを挟持する挟持面を一端側に備えた挟持体の、挟持面同士を各々対向配設した２体の挟持体と、
前記２体の挟持体の他端同士を回動自在に連結する共通軸心を有し、前記２体の挟持体を鰐口式に開閉動作可能とする連結部と、
前記２体の挟持体のうちの一方であって、前記挟持面と連結部の間の部位に設けられ、前記開閉動作方向と略直交する方向に沿った軸心を構成する軸心部と、
一端が前記軸心部に回動自在に軸支され、他端が前記２体の挟持体のうちの他方であって、前記挟持面と連結部の間の部位を貫通して係合する締結部と、
前記締結部と係合し、前記軸心部および締結部を介して前記２体の挟持体を開閉させる開閉調整部と、を備えたことを特徴とするイグニッションキーの固定治具。
【請求項２】
前記２体の挟持体の挟持面に、前記イグニッションキーを保護する保護部材を設け、
前記締結部に、付勢部材を設けたことを特徴とする請求項１に記載のイグニッションキーの固定治具。
【請求項３】
断面多角形の形状を有するビットが設けられた請求項１または２に記載のイグニッションキーの固定治具と、
前記ビットを着脱自在に保持するビットホルダーと、
前記ビットホルダーが設けられ、前記イグニッションキーの固定治具を回動させる回動手段と、を備えたことを特徴とするイグニッションキーの固定治具の着脱構造。
【発明の詳細な説明】
【技術分野】
【０００１】
本発明は、例えばシャシーダイナモメータに適用されているドライブロボットに設けるイグニッションキーの固定治具およびイグニッションキーの固定治具の着脱構造に関するするものである。
【背景技術】
【０００２】
乗用車、トラック等の各種車両の動力性能を試験する装置としては、室内等において試験対象車両の運転状態を模擬することが可能なシャシーダイナモメータが適用されており、その試験対象車両を運転操作するためにドライブロボットを用いることが知られている。このドライブロボットの一例としては、試験対象車両をイグニッションキーによりオン／オフ操作するものであって、モータ等により駆動するイグニッションキー用アクチュエータを備えたものが挙げられる。
【０００３】
ここで、イグニッションキーを保持するための固定治具（いわゆるキーカップ、チャッキング）としては、例えばイグニッションキーを有底筒状の部材で覆うように保持するものや、挟むように保持（例えば２つの板状部材で挟むように保持）するものが挙げられる（例えば、特許文献１，２，３，４）。
【０００４】
図９は、一般的なドライブロボットにおけるイグニッションキー固定治具の一例を説明するための概略図である。図９中の符号１０１は、試験対象車両のイグニッションボックス１０２に形成されたキー孔１０３に対し挿入および抜取り自在なイグニッションキーを示すものである。符号１０４は、モータ等の駆動源１０５により動作するアクチュエータ１０４を示すものであり、イグニッションキー１０１には装着および取外し自在に保持するための有底筒状の固定治具１０６が備えられ、アクチュエータ１０４の駆動源１０５側の端部には、例えば該駆動源１０５の出力軸１０５ａと連結するための自在継手１０５ｂ等が備えられる。このアクチュエータ１０４を動作させて、イグニッションキー１０１をキー孔１０３に挿入し回動することにより、試験対象車両をオン／オフ操作することができる。
【０００５】
イグニッションキー１０１は、その少なくとも一部（図９中ではグリップ部１０１ａ）を固定治具１０６の側壁内に挿入して装着され、その挿入された部位と側壁内面との接点の摩擦力により保持されるが、試験時においてイグニッションキー１０１が脱落しないようにすることが求められる。この脱落防止手段としては、例えば付勢手段（バネ等）や締結手段（ネジ等）によりグリップ部１０１ａ等を固定するものが知られている。
【０００６】
近年、車両の技術進歩に伴ってイグニッションキーの機構も種々の態様のものが開発されている。従来は例えば図９に示したようにイグニッションキー１０１を単にキー孔１０３に挿入して車両をオン／オフ操作するだけの機構が主流であったが、イグニッションキーと車両（イグニッションボックス等）との間でワイヤレス通信（電子データ等の送信や受信）が可能なワイヤレス通信機構を有するものが開発され、例えば自動車盗難防止を図ることが可能な機能（いわゆるイモビライザ等）、車両から離れた位置であっても施錠が可能な機能等を有するものが多く適用され始めている。
【０００７】
一般的なワイヤレス通信機構の場合、イグニッションキーにおけるワイヤレス通信に必要な装置は、そのイグニッションキーのグリップ部等に内蔵される。また、図９に示したようにキー孔１０３に挿入するのではなく、単にイグニッションキーを例えばイグニッションボックス付近に配置した状態で、別途設けられたスイッチ（ボタン式等）を介して車両をオン／オフ操作できるものも出現している。
【先行技術文献】
【特許文献】
【０００８】
【特許文献１】特開平８−７５６１５号公報（例えば、［０００２］〜［０００６］，図１に係る記載等）
【特許文献２】実開平５−９２６８４号公報（例えば、図１，図２に係る記載等）
【特許文献３】実開昭６１−１５５７５３号公報（例えば、第１図，第２図に係る記載等）
【特許文献４】実公平２−１２５９５号公報
【発明の概要】
【発明が解決しようとする課題】
【０００９】
上述したようにイグニッションキーは多様化しており、同一車種でも、イグニッションキーをキー孔に挿入し回動するタイプのものや、例えばつまみ式イグニッションキータイプのものなどのように複数のイグニッションキーを有している場合もある。
【００１０】
前記２つのタイプ両方に対応できるアクチュエータおよび固定治具は存在しなかった。
【００１１】
また、前記つまみ式イグニッションキータイプのものに対しては、取り付け、取り外しがしやすいものが求められていた。
【００１２】
ここで、図１０に、一例としてワイヤレス機能を有するつまみ式イグニッションキー２００を示す。図１０（ａ）が正面図であり、図１０（ｂ）が右側面図であり、図１０（ｃ）が底面図であり、図１０（ａ）の矢印はエンジンのオンオフにおける回転方向を示している。前述の要求に加え、このようなつまみ式のイグニッションキーに対応できる固定治具も求められていた。
【００１３】
また、従来の固定治具１０６は、アクチュエータ１０４との接続は、図９では図示省略のボルトにより固定されている。このため、イグニッションキーの形状が異なるために固定治具を交換する場合、工具を使用して固定治具の取り付け、取り外しを行う必要があった。さらに前記つまみ式イグニッションキータイプにおいて、イグニッションキーの交換のために固定治具を交換する場合にも容易に取り換えできるものが求められていた。
【００１４】
本発明は、前記課題に基づいてなされたものであり、イグニッションキーの交換にかかる作業を容易に行えるイグニッションキーの固定治具およびイグニッションキーの固定治具の着脱構造を提供することにある。
【課題を解決するための手段】
【００１５】
本発明は、前記課題の解決を図るために、イグニッションキーを挟持する挟持面を一端側に備えた挟持体の、挟持面同士を各々対向配設した２体の挟持体と、前記２体の挟持体の他端同士を回動自在に連結する共通軸心を有し、前記２体の挟持体を鰐口式に開閉動作可能とする連結部と、前記２体の挟持体のうちの一方であって、前記挟持面と連結部の間の部位に設けられ、前記開閉動作方向と略直交する方向に沿った軸心を構成する軸心部と、一端が前記軸心部に回動自在に軸支され、他端が前記２体の挟持体のうちの他方であって、前記挟持面と連結部の間の部位を貫通して係合する締結部と、前記締結部と係合し、前記軸心部および締結部を介して前記２体の挟持体を開閉させる開閉調整部と、を備えたことを特徴とする。
【００１６】
上記構成によれば、前記締結部と係合する開閉調整部が操作されると前記締結部は前記軸心部を軸心として回動し、前記２体の挟持体は前記連結部を軸心として鰐口式に開閉する。このように、簡易な構造で容易につまみ式のイグニッションキーの取り付けおよび取り外しを行うことができる。
【００１７】
また、前記２体の挟持体の挟持面に、前記イグニッションキーを保護する保護部材を設け、前記締結部に、付勢部材を設けたことを特徴とする。
【００１８】
上記構成によれば、前記２体の挟持体の挟持面に保護部材を設けているので、前記イグニッションキーが傷つくことを防ぐことができる。また、前記締結部に付勢部材を設けることで、前記２体の挟持体を閉状態から開状態にする場合に、前記開閉調整部の操作に伴って前記２体の挟持体を開かせることができる。
【００１９】
また、断面多角形の形状を有するビットが設けられた請求項１または２に記載のイグニッションキーの固定治具と、前記ビットを着脱自在に保持するビットホルダーと、前記ビットホルダーが設けられ、前記イグニッションキーの固定治具を回動させる回動手段と、を備えたことを特徴とする。
【００２０】
上記構成によれば、前記固定治具にビットを設け、前記回動手段にビットホルダーを設けることで、前記固定治具の交換を容易に行うことができる。
【００２２】
また、容易につまみ式イグニッションキーの取り付け、取り外しを行え、かつ固定治具の取り外しも容易に行うことができる。
【発明の効果】
【００２３】
請求項１の発明によれば、前記締結部と係合する開閉調整部が操作されると前記締結部は前記軸心部を軸心として回動し、前記２体の挟持体は前記連結部を軸心として鰐口式に開閉する。このように、簡易な構造で容易につまみ式のイグニッションキーの取り付けおよび取り外しを行うことができる。
【００２４】
請求項２の発明によれば、前記２体の挟持体の挟持面に保護部材を設けているので、前記イグニッションキーが傷つくことを防ぐことができる。また、前記締結部に付勢部材を設けることで、前記２体の挟持体を閉状態から開状態にする場合に、前記開閉調整部の操作に伴って前記２体の挟持体を開かせることができる。
【００２５】
請求項３の発明によれば、前記固定治具にビットを設け、前記回動手段にビットホルダーを設けることで、前記固定治具の交換を容易に行うことができる。
【００２６】
また、容易につまみ式イグニッションキーの取り付け、取り外しを行え、かつ固定治具の取り外しも容易に行うことができる。
【図面の簡単な説明】
【００２７】
【図１】実施例１におけるイグニッションキーの固定治具の開状態の右側面図。
【図２】実施例１におけるイグニッションキーの固定治具の右側面から見た上面図。
【図３】実施例１におけるイグニッションキーの固定治具の閉状態の右側面図。
【図４】実施例１におけるイグニッションキーの固定治具の開状態の正面図。
【図５】実施例１における挟持体の構成図。
【図６】実施例１における穴付ボルトの構成図。
【図７】実施例２におけるイグニッションキーの固定治具の着脱構造の連結状態を示す構成図。
【図８】実施例２におけるイグニッションキーの固定治具の着脱構造の構成図。
【図９】一般的なドライブロボットの概略図。
【図１０】一般的なつまみ式イグニッションキーの構成図。
【発明を実施するための形態】
【００２８】
以下、本発明の実施の形態におけるイグニッションキーの固定治具およびイグニッションキーの固定治具の着脱構造を図面等に基づいて詳細に説明する。
【実施例１】
【００２９】
図１〜４は、本実施例におけるイグニッションキーの固定治具１に関する構造図であり、図１,３は右側面図、図２は右側面から見た上面図、図４は正面図である。
【００３０】
図１〜４において、固定治具１は、イグニッションキー２００を挟持する挟持面を一端側に備え、挟持面同士を各々対向配設した挟持体２Ａ，２Ｂと、挟持体２Ａ，２Ｂの他端同士を回動自在に連結する共通軸心を有し、挟持体２Ａ，２Ｂを鰐口式に開閉動作可能とする連結部と、挟持体２Ｂの、前記挟持面と連結部の間の部位に設けられ、前記開閉動作方向と略直交する方向に沿った軸心を構成するボルト８と、一端がボルト８に回動自在に軸支され、他端が挟持体２Ａの前記挟持面と連結部の間の部位を貫通して係合する穴付ボルト１０と、穴付ボルト１０と係合し、ボルト８および穴付ボルト１０を介して挟持体２Ａ，２Ｂを開閉させるチョウナット１１と、を備えている。また、前記挟持体２Ｂを図５に示し、穴付ボルト１０を図６に示す。
【００３１】
以下、固定治具１の構成について詳細に説明する。挟持体２Ａ，２Ｂは、図１，５に示すように、側面視逆Ｌ字状に形成されており、そのＬ字の短辺を構成する短辺板２４Ｂの端部に設けたネジ穴に挿入したボルト５、ナット６および図２に示す上面視コ字状の連結部４によって連結される。なお、ボルト５、ナット６および連結部４が連結部に相当する。
【００３２】
挟持体２Ｂの形状の詳細を示す図５において、（ａ）は右側面図であり、（ｂ）は右側面から見た上面図であり、（ｃ）は背面図である。挟持体２Ｂは、Ｌ字の短辺を構成する短辺板２４ＢおよびＬ字の長辺を構成する長辺板２５Ｂにより構成される。また、長辺板２５Ｂのイグニッションキー２００を挟持する面にはネオプレンゴム３Ｂが設けられている。挟持体２Ａと連結する側の短辺板２４Ｂの端部には、ネジ穴２０を貫通して形成された凸状の係合部２１が設けられており、穴２０にボルト５が挿入されナット６により締結される。
【００３３】
また、図５（ｂ）に示すように、長辺板２５Ｂの略中央には、矩形状の穴２３が貫通して形成されている。そして、この穴２３を横貫するネジ穴２２がネジ穴２０と平行に貫通して設けられており、ネジ穴２２には、ボルト８が挿入されナット９により締結される。
【００３４】
他方、挟持体２Ａの形状は挟持体２Ｂと同様にＬ字の短辺板２４Ａと長辺板２５Ａとにより構成され、図４に示すように、挟持体２Ｂの凸状の係合部２１に対応する係合部２６が凹状になっている。また、挟持体２Ａの長辺板２５Ａには穴付ボルト１０を貫通させるためのネジ穴が設けられている。その他は、挟持体２Ａの形状はＬ字の短辺板２４Ａと長辺板２５Ａとにより構成されており、挟持体２Ｂと同様である。
【００３５】
前記係合部２１，２６の凸凹を組み合わせ、上面視コ字状の連結部４によって凹状の係合部２６の両側面および係合部２１，２６の背面を囲み、ボルト５およびナット６を締結することによって固定治具１の連結側は構成されている。
【００３６】
このような挟持体２Ａ、２ＢのＬ字を構成する長辺板２５Ａ，２５Ｂの互いに対向する面には、各々イグニッションキーを保護するためのネオプレンゴム３Ａ，３Ｂが設けられている。
【００３７】
なお、イグニッションキーを傷つけないためにネオプレンゴム３Ａ，３Ｂを用いているが、他の高分子材料を用いてもよい。また、ネオプレンゴム３Ａ，３Ｂが保護部材に相当する。
【００３８】
また、連結部４には、例えば図９のアクチュエータ１０４と同等の取付部７が取り付けられている。
【００３９】
前記穴付ボルト１０の挟持体２Ｂ側に軸支される側の端部には、図６に示すように、穴付ボルト１０の軸方向と直交する穴３１が穿設された円筒部３０が設けられている。この円筒部３０は挟持体２Ｂの穴２３に配設され、ボルト８がネジ穴２２および穴３１に挿入されナット９により締結される。
【００４０】
また、穴付ボルト１０の円筒部３０とは反対側である先端側にはネジ溝３２が形成されており、このネジ溝３２の部分は、挟持体２Ａの長辺板２５Ａのネオプレンゴム３Ａが貼り付けられている部分と係合部２６が設けられている部分との間に設けたネジ穴を貫通している。そして、ネジ溝３２の部分にはチョウナット１１が螺合されており、穴付ボルト１０の挟持体２Ａ，２Ｂ間の部分にはバネ１２が環装されている。
【００４１】
なお、ボルト８およびナット９が軸心部に相当し、穴付ボルト１０が締結部に相当し、チョウナット１１が開閉調整部に相当し、バネ１２が付勢部材に相当する。
【００４２】
このような構成において、チョウナット１１を締め付けると、図３に示すように、挟持体２Ａ，２Ｂ同士はバネ１２の力に抗して接近することになるが、挟持体２Ａ，２Ｂは連結部４により連結されており、穴付ボルト１０は、挟持体２Ａ，２Ｂの開閉動作方向と略直交するボルト８を軸心として回動できるので、挟持体２Ｂは徐々に傾き、挟持体２Ａ，２Ｂの前記開放端同士は近づいていきネオプレンゴム３Ａ，３Ｂによってイグニッションキー２００を挟持する。こうしてつまみ式イグニッションキー２００は固定治具１に取り付けられる。
【００４３】
なお、前記連結部４の板と、挟持体２Ａ，２Ｂの短辺板２４Ａ，２４Ｂとの間隔は、ボルト５を軸として挟持体２Ａ，２Ｂが回動する際に、短辺板２４Ａ，２４Ｂの端部が連結部４の板に接触しないように確保されている。
【００４４】
また、チョウナット１１を緩めると、バネ１２により、挟持体２Ｂの開放端は挟持体２Ａの開放端から遠ざかり、イグニッションキー２００を取り外すことができる。このように、固定治具１は簡易な構造でつまみ式イグニッションキーの取り付けに対応できる。また、簡易な構造であるため安価で軽量なものとすることができる。
【００４５】
なお、上述したように、ボルト８に対して穴付ボルト１０を回動可能となるように構成しているため、チョウナット１１の締め付け時に挟持体２Ａ，２Ｂは徐々に傾き、挟持体２Ａ，２Ｂの前記開放端同士は近づいていきイグニッションキー２００を挟持する。もし、穴付ボルト１０が回動しない場合、穴付ボルト１０は挟持体２Ａ，２Ｂの傾きに対応できないため、挟持体２Ａ，２Ｂの前記開放端同士は近づくことができず、結果としてイグニッションキー２００を挟持することができない。
【実施例２】
【００４６】
本実施例にかかるイグニッションキーの固定治具の着脱構造について図７，８を用いて説明する。
【００４７】
イグニッションキーの固定治具の着脱構造は、固定治具１または５０、ビット５３およびビットホルダー５４を備えており、ビットホルダー５４と接続する自在継手１０５ｂ、自在継手１０５ｂと接続する出力軸１０５ａは図９のものと同様のものであるため説明を省略する。
【００４８】
また、固定治具５０は、図１〜６で説明した固定治具１とは異なる差込み式のイグニッションキー用の固定治具であり、上部に設けられた板バネ５２がチョウネジ５１の締め付けにより調整されることで、差込み式のイグニッションキーが取り付けられる。
【００４９】
固定治具１，５０の背面（固定治具１であれば連結部４）には、断面多角形（例えば、六角形）で係止溝を有するビット５３が固着される。自在継手１０５ｂにはビットホルダー５４の図示省略のシャンク部が挿入され、図示省略のボルトにより固定される。
【００５０】
なお、ビットホルダー５４と自在継手１０５ｂとの接続は、シャンク部を用いずに、自在継手１０５ｂと一体成型にしてもよい。また、図９に示される、アクチュエータ１０４、駆動源１０５、出力軸１０５ａおよび自在継手１０５ｂが回動手段に相当する。
【００５１】
ここで、ビット５３は、一般的に、外周面に切欠が設けられ、電動ドライバーなどの回転駆動工具においてドライバービットや六角レンチビットとして用いられるものである。
【００５２】
また、ビットホルダー５４は、回転駆動系の各種ビットを着脱できるようにするためのものである。この種のビットホルダーは、図示省略のシャンク部と、このシャンク部の先に連結固定されたホルダー本体とを有し、ホルダー本体の先端部には、ビットを軸周りで回り止めしたまま保持可能にするビット挿入口５５が設けられている。
【００５３】
ビットホルダー５４の内部構造は、例えば以下のようになっている。すなわち、ビット挿入口５５の内部には、奥側に磁石が設けられ、またビット挿入口５５と前記磁石との間の部分に係止具（リングやピン等）が設けられている。
【００５４】
ビット５３は、ビット５３の中間の部位の外周面に設けられた切欠にビット挿入口５５と前記磁石との間の部分にある係止具が係合され、さらにビット５３が押し込まれるとビット５３の先端の部位は磁石により吸着されることで、ビット挿入口５５から抜け出さない状態になる。
【００５５】
なお、図７のビットホルダー５４の左端部の点線は、ビット５３が押し込まれて、ビット５３の切欠が前述したビット挿入口５５内の係止具と係合し、さらに先端の部位が磁石に吸着されてビットホルダー５４から抜け出さない状態を示している。
【００５６】
このように、固定治具１，５０にビット５３を設け、自在継手１０５ｂにビットホルダー５４を設けることで、工具を用いることなく固定治具の交換が容易に行え、作業時間を短縮することができる。また、ボルト固定式に比べ、ボルトの締め忘れなどのミスを無くすことができる。
【００５７】
また、固定治具が固定治具１であれば実施例１で述べた効果も得ることができる。
【００５８】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【符号の説明】
【００５９】
１，５０，１０６…固定治具
２Ａ，２Ｂ…挟持体
３Ａ，３Ｂ…ネオプレンゴム
４…連結部
５，８…ボルト
６，９…ナット
７…接続部
１０…穴付ボルト
１１…チョウナット
１２…バネ
２０，２２，３１…ネジ穴
２１，２６…係合部
２３…穴
２４Ａ，２４Ｂ…短辺板
２５Ａ，２５Ｂ…長辺板
３０…円筒部
３２…ネジ溝
５１…チョウネジ
５２…板バネ
５３…ビット
５４…ビットホルダー
５５…ビット挿入口
１０１…イグニッションキー
１０１ａ…グリップ部
１０２…イグニッションボックス
１０３…キー孔
１０４…アクチュエータ
１０５…駆動源
１０５ａ…出力軸
１０５ｂ…自在継手
２００…つまみ式イグニッションキー
【図１】
0005428984.tif 000002
【図２】
0005428984.tif 000003
【図３】
0005428984.tif 000004
【図４】
0005428984.tif 000005
【図５】
0005428984.tif 000006
【図６】
0005428984.tif 000007
【図７】
0005428984.tif 000008
【図８】
0005428984.tif 000009
【図９】
0005428984.tif 000010
【図１０】
0005428984.tif 000011